(57)【要約】【課題】音声ガイダンス中のラジオ音声を録音し、音声ガイダンス終了後に再生するようにしたナビゲーション装置を提供する。【解決手段】所定の案内ポイント毎に経路案内を行うナビゲーション装置１０は、経路検索部１０３によって検索された経路上の案内ポイントと現在位置とに基づいて、案内ポイントに対応する音声経路案内データによる音声経路案内を行う経路案内部１０６と、映像信号や音声信号を含む放送情報を受信する放送受信部１０７と、放送受信部１０７により受信された放送情報を放送番組データ記憶部１１０に記録する記録手段（録音・再生部１０８）と、記録手段による放送番組データ記憶部１１０への放送情報の記録を開始あるいは終了させるための制御を行う制御部１０１と、を備え、音声により経路案内を行う際、制御部１０１の制御により、記録手段は放送受信部１０７により受信された放送情報を放送番組データ記憶部１１０に記録する。【選択図】図１
2008309666.tif 000002
【特許請求の範囲】
【請求項１】
目的地までの経路を設定し、所定の案内ポイント毎に経路案内を行うナビゲーション装置において、
出発地から目的地までの経路を検索する経路検索手段と、
前記経路検索手段によって検索された経路上の案内ポイントと現在位置とに基づいて、当該案内ポイントに対応する音声経路案内データによる音声経路案内を行う経路案内手段と、
少なくとも音声信号を含む放送情報を受信する放送受信手段と、
前記放送受信手段により受信された放送情報を記憶手段に記録する記録手段と、
前記記録手段による前記記憶手段への放送情報の記録を開始あるいは終了させるための制御を行う記録制御手段と、を備え、
音声により経路案内を行う際、前記記録制御手段の制御により、前記記録手段は前記放送受信手段により受信された放送情報を記録することを特徴とするナビゲーション装置。
【請求項２】
前記記録制御手段は、前記経路案内手段による音声経路案内が開始されるよりも所定時間前から前記記録手段による記録を開始させることを特徴とする請求項１に記載のナビゲーション装置。
【請求項３】
前記記録制御手段は、前記経路案内手段による音声経路案内が終了してから所定時間経過後に前記記録手段による記録を終了させることを特徴とする請求項１に記載のナビゲーション装置。
【請求項４】
前記ナビゲーション装置は、前記経路検索手段によって検索された経路上の案内ポイントを記憶する経路記憶手段を備え、
前記記録制御手段は、前記経路記憶手段に記憶された案内ポイントに基づいて前記記録手段による記録を開始あるいは終了させることを特徴とする請求項１に記載のナビゲーション装置。
【請求項５】
前記記録手段は、前記記憶手段に記録する放送情報に対して記録している時点の位置情報を付加して記録することを特徴とする請求項１に記載のナビゲーション装置。
【請求項６】
前記ナビゲーション装置は、
前記記憶手段に記録された放送情報を再生する再生手段と、
前記再生手段による放送情報の再生を指示する操作入力手段と、
を備えたことを特徴とする請求項１ないし請求項５の何れか１項に記載のナビゲーション装置。
【請求項７】
前記ナビゲーション装置は、
前記記憶手段に記録された放送情報を消去する消去手段と、
前記消去手段による前記記憶手段に記録された放送情報の消去を開始させるための制御を行う消去制御手段と、
を備え、
前記消去制御手段は、前記記録手段による前記記憶手段への放送情報の記録後、前記操作入力手段による当該放送情報の再生指示が所定時間ない場合に、前記消去手段による当該放送情報の消去を開始させることを特徴とする請求項６に記載のナビゲーション装置。
【請求項８】
目的地までの経路を設定し、所定の案内ポイント毎に経路案内を行うナビゲーション装置の経路案内制御方法において、
出発地から目的地までの経路を検索する経路検索工程と、
前記経路検索工程によって検索された経路上の案内ポイントと現在位置とに基づいて、当該案内ポイントに対応する音声経路案内データによる音声経路案内を行う経路案内工程と、
少なくとも音声信号を含む放送情報を受信する放送受信工程と、
前記経路案内工程の際、前記放送受信工程により受信された放送情報を記憶手段に記録する記録工程と、
を含むことを特徴とする経路案内制御方法。
【請求項９】
前記記録工程は、前記経路案内工程が開始されるよりも所定時間前から開始されることを特徴とする請求項８に記載の経路案内制御方法。
【請求項１０】
前記記録工程は、前記経路案内工程が終了してから所定時間経過後に終了されることを特徴とする請求項８に記載の経路案内制御方法。
【請求項１１】
前記経路案内制御方法は、前記経路検索工程によって検索された経路上の案内ポイントを記憶する経路記憶工程を含み、
前記記録工程は、前記経路記憶工程によって記憶された案内ポイントに基づいて開始あるいは終了されることを特徴とする請求項８に記載の経路案内制御方法。
【請求項１２】
前記記録工程は、前記記憶手段に記録する放送情報に対して記録している時点の位置情報を付加する工程を含むことを特徴とする請求項８に記載の経路案内制御方法。
【請求項１３】
前記経路案内制御方法は、
前記記憶手段に記録された放送情報を再生する再生工程と、
前記再生工程による放送情報の再生を指示する操作入力工程と、
を含むことを特徴とする請求項８ないし請求項１２の何れか１項に記載の経路案内制御方法。
【請求項１４】
前記経路案内制御方法は、前記記録工程による前記記憶手段への放送情報の記録後、前記操作入力工程による当該放送情報の再生指示が所定時間ない場合に、当該放送情報を消去する消去工程を含むことを特徴とする請求項１３に記載の経路案内制御方法。
【発明の詳細な説明】
【技術分野】
【０００１】
本発明は、所定の案内ポイント毎に音声により経路案内を行う通信型あるいは車載型のナビゲーション装置に関するものであり、特に、音声による経路案内を行う際に、音声経路案内を行っているときのラジオからの音声を録音し、音声案内終了後に再生できるようにしたナビゲーション装置およびその経路案内制御方法に関するものである。
【背景技術】
【０００２】
近年、車載型のナビゲーション装置の性能は飛躍的に向上し、多機能化が進んでいる。特に、出発地から目的地までの経路を自動的に検索し、検索された経路を誘導経路として地図上に表示する経路探索機能と音楽ＣＤやラジオ放送番組などを車内で楽しむためのオーディオ機能を搭載したナビゲーションシステムが提供されている。これらの機能を用いれば、音楽を聴きながら出発地と目的地と最適ルートで結ぶ誘導経路に沿った運転を楽しむことが可能である。
【０００３】
また、検索された誘導経路に従ってユーザが走行を行う際に、曲がり角（右折や左折）等のようにガイド（案内）が必要となる地点に近づくと、右折や左折等の経路案内情報を音声ガイダンスとして発生し、リアルタイムでユーザに通知するナビゲーションサービスも実現されている。そして、音声ガイダンスによる誘導案内の利便性を向上させるために、例えば、オーディオ再生中に音声ガイダンスがあると、オーディオ音量をミュート（減衰）させるなどして、音声ガイダンスを優先して聞き取れるようにしたナビゲーションシステムも種々提案されている。
【０００４】
例えば、下記の特許文献１（特開２００２−２１３９８５号公報）には、オーディオ装置の音声出力とナビゲーション装置の音声出力とが同時に出力される場合に、オーディオ装置における音声出力の減衰量を適正化することができる技術が開示されている。
【０００５】
この特許文献１に開示された技術は、ナビゲーション装置の音声案内装置により経路誘導に関する音声ガイダンスがスピーカから出力されている時に、ユーザがオーディオ装置を動作させた場合には、オーディオ装置の制御部がスピーカから出力されている音声の音量を、重要な音声ガイダンスほど減衰量を大きくし、あまり重要でない音声ガイダンスは減衰量を小さくするように構成されているものである。
【０００６】
このように構成することにより、オーディオ装置における音声出力の減衰量を適正化することができる。
【特許文献１】特開２００２−２１３９８５号公報（段落［００１４］、［００１５］、図３）
【発明の開示】
【発明が解決しようとする課題】
【０００７】
ところで、ラジオのニュースなどを聞いているときに音声ガイダンスがある場合、音声ガイダンスによってラジオの音声が聞こえない、あるいは聞き取りにくくなり、ユーザである運転手だけではなく、助手席や後部座席の同乗者にとっても必要なラジオからの情報を得られない場合があるという問題点がある。
【０００８】
上記特許文献１に開示された音声出力技術では、音声ガイダンスの重要度に応じて所定量減衰させた音量の音声で出力するので、ユーザの案内内容の認知率を向上させることはできるものの、音声ガイダンスによって聞き逃したりすることもあるラジオなどからの情報に対しては具体的に配慮されていないためユーザに対しては、必ずしも利便性のあるものではなかった。
【０００９】
本願の発明者は上記の問題点を解消すべく種々検討を重ねた結果、ナビゲーション装置が音声による経路案内を行う際に、音声経路案内を行っているときのラジオからの音声を録音し、音声案内終了後に再生するようになせば、上記の問題点を解消し得ることを想到し本発明を完成するに至ったものである。
【００１０】
すなわち、本発明は、上記の問題点を解消することを課題とし、音声ガイダンス中のラジオ音声を録音し、音声ガイダンス終了後に再生できるようにしたナビゲーション装置を提供することを目的とするものである。
【課題を解決するための手段】
【００１１】
前記課題を解決するために、本願の請求項１にかかる発明は、
目的地までの経路を設定し、所定の案内ポイント毎に経路案内を行うナビゲーション装置において、
出発地から目的地までの経路を検索する経路検索手段と、
前記経路検索手段によって検索された経路上の案内ポイントと現在位置とに基づいて、当該案内ポイントに対応する音声経路案内データによる音声経路案内を行う経路案内手段と、
少なくとも音声信号を含む放送情報を受信する放送受信手段と、
前記放送受信手段により受信された放送情報を記憶手段に記録する記録手段と、
前記記録手段による前記記憶手段への放送情報の記録を開始あるいは終了させるための制御を行う記録制御手段と、を備え、
音声により経路案内を行う際、前記記録制御手段の制御により、前記記録手段は前記放送受信手段により受信された放送情報を記録することを特徴とする。
【００１２】
また、本願の請求項２にかかる発明は、請求項１にかかるナビゲーション装置において、前記記録制御手段は、前記経路案内手段による音声経路案内が開始されるよりも所定時間前から前記記録手段による記録を開始させることを特徴とする。
【００１３】
また、本願の請求項３にかかる発明は、請求項１にかかるナビゲーション装置において、前記記録制御手段は、前記経路案内手段による音声経路案内が終了してから所定時間経過後に前記記録手段による記録を終了させることを特徴とする。
【００１４】
また、本願の請求項４にかかる発明は、請求項１にかかるナビゲーション装置において、前記経路検索手段によって検索された経路上の案内ポイントを記憶する経路記憶手段を備え、前記記録制御手段は、前記経路記憶手段に記憶された案内ポイントに基づいて前記記録手段による記録を開始あるいは終了させることを特徴とする。
【００１５】
また、本願の請求項５にかかる発明は、請求項１にかかるナビゲーション装置において、前記記録手段は、前記記憶手段に記録する放送情報に対して記録している時点の位置情報を付加して記録することを特徴とする。
【００１６】
また、本願の請求項６にかかる発明は、請求項１ないし請求項５の何れか１項にかかるナビゲーション装置において、前記記憶手段に記録された放送情報を再生する再生手段と、前記再生手段による放送情報の再生を指示する操作入力手段と、を備えたことを特徴とする。
【００１７】
また、本願の請求項７にかかる発明は、請求項６にかかるナビゲーション装置において、前記記憶手段に記録された放送情報を消去する消去手段と、前記消去手段による前記記憶手段に記録された放送情報の消去を開始させるための制御を行う消去制御手段と、を備え、前記消去制御手段は、前記記録手段による前記記憶手段への放送情報の記録後、前記操作入力手段による当該放送情報の再生指示が所定時間ない場合に、前記消去手段による当該放送情報の消去を開始させることを特徴とする。
【００１８】
また、本願の請求項８にかかる発明は、
目的地までの経路を設定し、所定の案内ポイント毎に経路案内を行うナビゲーション装置の経路案内制御方法において、
出発地から目的地までの経路を検索する経路検索工程と、
前記経路検索工程によって検索された経路上の案内ポイントと現在位置とに基づいて、当該案内ポイントに対応する音声経路案内データによる音声経路案内を行う経路案内工程と、
少なくとも音声信号を含む放送情報を受信する放送受信工程と、
前記経路案内工程の際、前記放送受信工程により受信された放送情報を記憶手段に記録する記録工程と、
を含むことを特徴とする。
【００１９】
また、本願の請求項９にかかる発明は、請求項８にかかる経路案内制御方法において、前記記録工程は、前記経路案内工程が開始されるよりも所定時間前から開始されることを特徴とする。
【００２０】
また、本願の請求項１０にかかる発明は、請求項８にかかる経路案内制御方法において、前記記録工程は、前記経路案内工程が終了してから所定時間経過後に終了されることを特徴とする。
【００２１】
また、本願の請求項１１にかかる発明は、請求項８にかかる経路案内制御方法において、前記経路検索工程によって検索された経路上の案内ポイントを記憶する経路記憶工程を含み、前記記録工程は、前記経路記憶工程によって記憶された案内ポイントに基づいて開始あるいは終了されることを特徴とする。
【００２２】
また、本願の請求項１２にかかる発明は、請求項８にかかる経路案内制御方法において、前記記録工程は、前記記憶手段に記録する放送情報に対して記録している時点の位置情報を付加する工程を含むことを特徴とする。
【００２３】
また、本願の請求項１３にかかる発明は、請求項８ないし請求項１２の何れか１項にかかる経路案内制御方法において、前記記憶手段に記録された放送情報を再生する再生工程と、前記再生工程による放送情報の再生を指示する操作入力工程と、を含むことを特徴とする。
【００２４】
また、本願の請求項１４にかかる発明は、請求項１３にかかる経路案内制御方法において、前記記録工程による前記記憶手段への放送情報の記録後、前記操作入力工程による当該放送情報の再生指示が所定時間ない場合に、当該放送情報を消去する消去工程を含むことを特徴とする。
【発明の効果】
【００２５】
請求項１、請求項８にかかる発明においては、ナビゲーション装置は、出発地から目的地までの経路を検索し、検索された経路上の案内ポイントと現在位置とに基づいて、当該案内ポイントに対応する音声経路案内データによる音声経路案内を行う際に、受信された映像信号や音声信号を含む放送情報を記録する。
【００２６】
このような構成によれば、音声により経路案内を行う際、音声経路案内を行っているときの放送情報を記録しておくため、ユーザにとって放送情報を見逃したり、聞き逃したりすることを回避することができ、音声経路案内を行っているときの放送情報を的確に把握することが容易になる。
【００２７】
また、請求項２、請求項９にかかる発明のおいては、請求項１、請求項８にかかるナビゲーション装置において、音声経路案内が開始されるよりも所定時間前から放送情報の記録を開始させる。
【００２８】
このような構成によれば、音声により経路案内を行う際、音声経路案内を行っているときの放送情報を音声経路案内が開始される前の放送情報とともに記録しておくため、ユーザにとって放送情報を見逃したり、聞き逃したりすることを回避することができ、音声経路案内を行っているときの放送情報を的確に把握することが容易になる。
【００２９】
また、請求項３、請求項１０にかかる発明のおいては、請求項１、請求項８にかかるナビゲーション装置において、音声経路案内が終了してから所定時間経過後に放送情報の記録を終了させる。
【００３０】
このような構成によれば、音声により経路案内を行う際、音声経路案内を行っているときの放送情報を音声経路案内が終了した後の放送情報とともに記録しておくため、ユーザにとって放送情報を見逃したり、聞き逃したりすることを回避することができ、音声経路案内を行っているときの放送情報を的確に把握することが容易になる。
【００３１】
また、請求項４、請求項１１にかかる発明のおいては、請求項１、請求項８にかかるナビゲーション装置において、検索された経路上の案内ポイントを記憶し、記憶された案内ポイントに基づいて放送情報の記録を開始あるいは終了させる。
【００３２】
このような構成によれば、音声により経路案内を行う際、音声経路案内が短時間に連続して行っているときの放送情報を記録しておくため、ユーザにとって放送情報を見逃したり、聞き逃したりすることを回避することができ、短時間に連続して音声経路案内を行っているときの放送情報を的確に把握することが容易になる。
【００３３】
また、請求項５、請求項１２にかかる発明のおいては、請求項１、請求項８にかかるナビゲーション装置において、記録する放送情報に対して記録している時点の位置情報を付加する。
【００３４】
このような構成によれば、音声により経路案内を行う際、音声経路案内を行っているときの放送情報をそのときの位置情報とともに記録しておくため、ユーザにとって放送情報を見逃したり、聞き逃したりすることを回避することができ、音声経路案内を行っているときの放送情報と位置情報を的確に把握することが容易になる。
【００３５】
また、請求項６、請求項１３にかかる発明のおいては、請求項１ないし請求項５、請求項８ないし請求項１２にかかるナビゲーション装置において、放送情報の再生を指示されると記録された放送情報を映像や音声にて再生する。
【００３６】
このような構成によれば、音声により経路案内を行う際、音声経路案内を行っているときの放送情報を記録しておき、音声経路案内が終了した後に再生するため、ユーザにとって放送情報を見逃したり、聞き逃したりすることを回避することができ、音声経路案内を行っているときの放送情報を的確に把握することが容易になる。
【００３７】
また、請求項７、請求項１４にかかる発明のおいては、請求項６、請求項１３にかかるナビゲーション装置において、放送情報の記録後、当該放送情報の再生指示が所定時間ない場合に、当該放送情報を消去する。
【００３８】
このような構成によれば、音声により経路案内を行う際、音声経路案内を行っているときの放送情報を記録しておき、音声経路案内が終了した後に再生する必要がない場合には自動的に放送情報を消去するため、ユーザにとって放送情報を見逃したり、聞き逃したりすることを回避することができ、音声経路案内を行っているときの放送情報の中でユーザにとって必要な放送情報を的確に把握することが容易になる。
【発明を実施するための最良の形態】
【００３９】
以下、本発明の具体例を実施例及び図面を用いて詳細に説明する。但し、以下に示す実施例は、本発明の技術思想を具体化するためのナビゲーション装置を例示するものであって、本発明をこのナビゲーション装置に特定することを意図するものではなく、特許請求の範囲に含まれるその他の実施形態のナビゲーション装置にも等しく適用し得るものである。
【実施例１】
【００４０】
図１は、本発明の実施例にかかるナビゲーション装置の構成を示すブロック図である。車載用ナビゲーション装置１０は、制御部１０１、現在位置検出部１０２、経路検索部１０３、地図データ記憶部１０４、案内データ記憶部１０５、経路案内部１０６、放送受信部１０７、録音・再生部１０８、消去部１０９、放送番組データ記憶部１１０、操作入力部１１１、表示部１１２、音声出力部１１３などを備えて構成されている。
【００４１】
なお、本実施例は、車載用のナビゲーション装置を示すものであるが、ナビゲーションサーバとナビゲーション端末装置とからなる通信型のナビゲーションシステムであってもよく、また自動車による移動の他、徒歩や公共交通機関を利用した経路を案内するナビゲーションシステムであってもよい。
【００４２】
制御部１０１は、マイクロプロセッサを中心に構成され、一般的なコンピュータ装置と同様にＲＡＭ、ＲＯＭなどのメモリを備えており、ＲＯＭに格納されている各種制御プログラムを読み出し、ＲＡＭ内のプログラム格納領域に展開し、該制御プログラムに従って各部の動作を制御する。
【００４３】
現在位置検出部１０２は、複数のＧＰＳ衛星からの信号を一定の周期で受信して現在位置を測位するＧＰＳ受信手段、車両に設けられた加速度センサや舵角センサなどの各種のセンサ出力を取得して現在位置を算出して推測航法を行う自立航法手段を備えている。これらの位置検出手段は各々が性質の異なる誤差を有しているため、各々補間しながら使用するように構成されるのが一般的であるが、精度によってはその一部で構成してもよい。なお、ナビゲーション端末装置が車載用の機能を持たない携帯端末装置の場合、自立航法手段を備える必要はない。
【００４４】
経路検索部１０３は、操作入力部１１１を介してユーザによって出発地及び目的地が入力されると地図データ記憶部１０４に記憶された地図データに基づいて最適な推奨経路を検索する。経路検索部１０３によって探索された推奨経路は案内データ記憶部１０５に記憶される。
【００４５】
地図データ記憶部１０４は、経路探索サーバから予め通信によりダウンロードもしくはＣＤ−ＲＯＭなどの外部記憶媒体からプレインストールした地図データを格納している。この地図データは、各道路をノードとリンクで表したデータ、各リンクの種別（一般道路、高速道路など）、ノード種別（交差点の信号有無、案内ポイントか否かなど）、コストデータなどから構成されている。
【００４６】
図２は、地図データの構成を説明するための模式図である。各道路の端点、経由点などをノードとし、各ノード間を結ぶ道路をリンクで表している。図２に示すように、道路Ｘ、Ｙからなる場合、道路Ｘ上のリンクは実線、道路Ｙ上のリンクは点線で示されており、○印は道路ＸのノードＮ０〜Ｎ４または道路ＹのノードＮ５〜Ｎ８を示し、◎印は道路Ｘ、Ｙの分岐点のノードＮ９または道路ＹのノードＮ１０であり、案内ポイントであることを示している。
【００４７】
案内データ記憶部１０５は、無線通信回線を介してインターネット網などからダウンロードもしくはＣＤ−ＲＯＭなどの外部記憶媒体からプレインストールした経路案内データや経路検索部１０３によって探索された推奨経路データを格納している。経路案内データは、地図エリアに存在する種々の案内ポイントである交差点、道路、地名、施設（ランドマーク）などについて、その名称、属性（種別）、所在位置や、住所、電話番号あるいは施設の営業時間などの詳細情報などから構成されている。また、この経路案内データは、通信手段を介して外部の情報提供手段から取得して更新するように構成されている。
【００４８】
さらに、経路案内データには、経路のガイダンス、例えば、案内ポイントである交差点や分岐点に車両が近づいた際に、「この先、左折です」などの定型句からなる表示および音声による複数の案内メッセージが含まれており、制御部１０１は、この案内メッセージに従って、表示部１１２に案内（ガイド）を表示するとともに音声出力部１１３を介して音声にて案内することができる。
【００４９】
経路案内部１０６は、現在位置検出部１０２によって検出された現在位置と地図データ記憶部１０４に記憶された案内ポイントとに基づき、現在位置が案内ポイントから進行方向後方にある第１の所定距離以内にあるとき案内データ記憶部１０５を参照して当該案内ポイントに対応する経路案内を行うように制御する。なお、第１の所定距離は操作入力部１１１を介してユーザによって予め設定することが可能であり、設定された距離値は地図データ記憶部１０４に記憶されている。
【００５０】
具体的には、図２に示すように、ユーザ（自車両）が道路ＸをノードＮ０からノードＮ１の方向へ移動している場合、分岐点であるノードＮ９を案内ポイントとすると、ノードＮ９からの距離が第１の所定距離Ｌ１（例えば、１００ｍ）の地点にあるノードＮ２にユーザ（自車両）の現在位置が到達すると、案内ポイントであるノードＮ９に関する経路案内（分岐案内画面など）を表示部１１２に表示し、音声出力部１１３を介して報知させるように制御する。なお、図２において、このときのユーザ（自車両）位置マークは矢印２１で示されている。
【００５１】
放送受信部１０７は、放送局から送信されるラジオ放送電波を受信するアンテナ、ラジオ放送電波に同調してオーディオ信号を生成するフロントエンド、オーディオ信号の中間周波増幅を行う中間周波増幅器、中間周波増幅器の出力信号に対してノイズキャンセルを行うノイズキャンセラなどを備え、選局された放送局からのラジオ放送番組を受信する。
【００５２】
録音・再生部１０８は、制御部１０１からの制御により放送受信部１０７で受信した放送番組を放送番組データ記憶部１１０に録音する機能および放送番組データ記憶部１１０に録音された放送番組を再生する機能を有する。ここで、録音・再生部１０８は、録音した放送番組データに対するデータ名として、その放送番組を録音した地点に関わる位置情報、例えば、案内ポイントの名称などを案内データ記憶部１０５に記憶された詳細情報から取得し、録音した放送番組データと関連付けて放送番組データ記憶部１１０に記録する。
【００５３】
消去部１０９は、制御部１０１からの制御により放送番組データ記憶部１１０に録音された放送番組の中から所定の放送番組データを消去する機能を有する。
【００５４】
放送番組データ記憶部１１０は、録音・再生部１０８で録音、再生される放送番組を記憶することができる。好ましくは大容量の記憶容量を有するハードディスクが用いられる。この場合、ハードディスク内に地図データ記憶部１０４と案内データ記憶部１０５と放送番組データ記憶部１１０の各記憶部を設ける構成にしてもよい。
【００５５】
操作入力部１１１は、操作ボタンや抵抗膜方式やセンサ方式などのタッチパネルなどにより構成され、ナビゲーション装置１０の各種機能を操作したり、所要の数値や文字を入力したりするものである。タッチパネルは、表示部１１２のＬＣＤ表示面に設けられ、表示面の任意の位置における指などの押圧あるいは接触を検出して位置検出信号を生成し、その位置検出信号を制御部１０１に対して動作制御信号として出力する。
【００５６】
表示部１１２は、ＬＣＤや有機ＥＬＤなどのディスプレイパネルなどから構成される表示ユニットであり、制御部１０１からの制御信号に応じて、地図データ記憶部１０４および案内データ記憶部１０５から供給された画像信号について所定の画像処理を施して地図画像や推奨経路を表示する。
【００５７】
音声出力部１１３は、経路案内部１０６の音声案内、放送受信部１０７の音声信号、録音・再生部１０８の音声信号を受け取り、これをスピーカから出力させる。
【００５８】
制御部１０１は、現在位置検出部１０２によって検出された現在位置と地図データ記憶部１０４に記憶された案内ポイントとに基づき、現在位置が案内ポイントから進行方向後方にある第２の所定距離（ただし、第２の所定距離は、案内ポイントから当該案内ポイントに対応する経路案内を開始する地点までの第１の所定距離よりも大きい）以内にあるとき、すなわち、当該案内ポイントに対応する経路案内が開始されるよりも所定時間前、例えば１０秒前に、録音・再生部１０８の録音を制御して放送受信部１０７から受信した放送番組に対する放送番組データ記憶部１１０への録音を開始させる。
【００５９】
また、制御部１０１は、この経路案内が終了してから所定時間後、例えば１０秒後に、録音・再生部１０８の録音を制御して放送受信部１０７から受信した放送番組に対する放送番組データ記憶部１１０への録音を終了させる。なお、この経路案内に対応する案内ポイントから次の案内ポイントまでの間隔が第３の所定距離以内にあるとき、すなわち、先にある案内ポイントに対応する経路案内が終了してから次にある案内ポイントに対応する経路案内を開始する地点に到達するまでの時間が、例えば３０秒程度と比較的短い場合には、たとえ先にある案内ポイントに対応する経路案内が終了してから所定時間の１０秒を過ぎた場合にも、録音・再生部１０８の録音を制御して放送受信部１０７から受信した放送番組に対する放送番組データ記憶部１１０への録音を継続させる。
【００６０】
このように、制御部１０１は、地図データ記憶部１０４に記憶された案内ポイントに基づき、録音・再生部１０８の録音を制御して放送受信部１０７から受信した放送番組に対する放送番組データ記憶部１１０への録音を開始あるいは終了させることができる。
【００６１】
さらに、制御部１０１は、放送番組データ記憶部１１０に録音された放送番組に対して操作入力部１１１から消去の指示入力があったとき、あるいは、放送番組データ記憶部１１０に放送番組が録音された後から所定時間、例えば、１０分の間に当該放送番組に対して操作入力部１１１から再生の指示入力がなされなかったとき、消去部１０９を制御してこの放送番組を消去させる。
【００６２】
具体的には、図２に示すように、ユーザ（自車両）の現在位置が案内ポイントのノードＮ９からの距離が第２の所定距離Ｌ２（例えば、２００ｍ）の地点にあるノードＮ１に到達すると、すなわち、ノードＮ９に関する経路案内（案内ガイダンスなど）が開始されるよりも所定時間Ｔ１（１０秒）前になると、放送受信部１０７から受信した放送番組の放送番組データ記憶部１１０への録音を開始するように制御する。なお、図２において、このときのユーザ（自車両）位置マークは矢印２０で示されている。
【００６３】
さらに、ちょうどノードＮ９の地点で当該ノードＮ９に関する経路案内が終了した後もユーザ（自車両）が移動を続けて、ノードＮ９に関する経路案内が終了してから所定時間Ｔ２（１０秒）後にノードＮ５の地点にユーザ（自車両）の現在位置が到達すると、放送受信部１０７から受信した放送番組の放送番組データ記憶部１１０への録音を終了するように制御する。なお、図２において、このときのユーザ（自車両）位置マークは矢印２２で示されている。
【００６４】
さらに、ユーザ（自車両）が移動を続けて、現在位置が次の案内ポイントのノードＮ１０からの距離が第２の所定距離Ｌ２（例えば、２００ｍ）の地点にあるノードＮ６に到達すると、すなわち、ノードＮ１０に関する経路案内（案内ガイダンスなど）が開始されるよりも所定時間Ｔ１（１０秒）前になると、放送受信部１０７から受信した放送番組の放送番組データ記憶部１１０への録音を開始するように制御する。そして、ノードＮ１０からの距離が第１の所定距離Ｌ１（例えば、２００ｍ）の地点にあるノードＮ７にユーザ（自車両）の現在位置が到達すると、案内ポイントであるノードＮ１０に関する経路案内（分岐案内画面など）を表示部１１２に表示し、音声出力部１１３を介して報知させるように制御する。
【００６５】
ただし、案内ポイントであるノードＮ９の次の案内ポイントであるノードＮ１０までの距離Ｌ３が、ノードＮ９に関する経路案内が終了した時点（ノードＮ９の地点）から次の案内ポイントであるノードＮ１０に関する経路案内が開始される時点（ノードＮ７の地点）まで移動するのに要する時間が例えば３０秒位しかかからない程度に短い所定距離未満の場合には、次の案内ポイントのノードＮ１０に関する経路案内が終了して（ノードＮ１０の地点）から所定時間Ｔ２（１０秒）後に到着するノードＮ８の地点まで放送受信部１０７から受信した放送番組の放送番組データ記憶部１１０への録音を継続するように制御する。
【００６６】
ナビゲーション装置１０は、表示部１１２のタッチパネルから所望の出発地、目的地を設定してナビゲーションの要求があると、経路検索部１０３は地図データ記憶部１０４の地図データを参照して２地点間を最短で結ぶ推奨経路を探索する。なお、所望の出発地、目的地を登録ポイントとして設定する方法は、地点周辺の地図画像を表示部１１２に表示させ、操作入力部１１１のカーソルで地図上のＰＯＩアイコンや交差点をクリックする方法や、表示部１１２に表示された入力ボックスに操作入力部１１１から住所や電話番号を入力する方法であってもよい。
【００６７】
制御部１０１は、操作入力部１１１により目的地の名称やその位置情報を入力されると、経路検索部１０３により現在位置からその目的地までの最適な経路を自動的に探索して推奨経路を作成するとともに、現在位置検出部１０２により車両の現在位置及び現在方位を検出する。この自動的に最適な経路を選択する手法は、例えば、ダイクストラ法と呼ばれる周知の手法によって行われる。
【００６８】
そして、現在位置検出部１０２で算出した車両の現在位置を中心とした所定範囲の地図データを地図データ記憶部１０４から読み出し、該地図データに基づいて車両位置の周囲の地図画像を表示部１１２上に描画すると共に、ユーザ（車両）位置マーク（ロケーション）を表示部１１２の表示画面に重ね合わせて表示し、ユーザ（車両）の移動に応じて地図画像をスクロール表示したり、地図画像を画面に固定し車両位置マークを移動させたりして、車両が現在どこを走行しているのかを一目で判るようにしている。
【００６９】
さらに、ナビゲーション装置１０は、現在位置検出部１０２の検出結果に基づき予め設定された経由地や目的地等の案内対象物の所定距離Ｌ１の範囲内に接近し、その案内を行うタイミングになると、経路案内部１０６によって案内データ記憶部１０５の経路案内データを検索して、該当する経路案内データを抽出する。そして、表示部１１２は抽出した経路案内データを用いて分岐案内画面を表示し、音声出力部１１３は「まもなく○○交差点です」あるいは「直進は△△方面、右折は××方面です」というような音声メッセージを合成して報知する。
【００７０】
また、ナビゲーション装置１０は、表示部１１２のタッチパネルから所望の放送局を選定して放送受信の要求があると、放送受信部１０７は選局された放送局からのラジオ放送番組を受信して所定の音量で音声出力部１１３から出力する。そして、現在位置検出部１０２の検出結果に基づき予め設定された経由地や目的地等の案内対象物の所定距離Ｌ２の範囲内に接近し、その案内のタイミングの直前１０秒前になると、録音・再生部１０８によって、受信している放送番組の放送番組データ記憶部１１０への録音を開始するとともに、音声出力部１１３から出力される放送番組の音量を下げる、あるいは完全にミュートする。このとき、表示部１１２には、放送番組を録音中である旨を経路案内データとともに表示すことで、放送番組の音量が下げられて（あるいは完全にミュートされて）聞き取りにくい場合でも放送番組を受信、録音中であることをユーザに容易に把握できるようにしてもよい。
【００７１】
図３は、表示部１１２を介して報知される表示内容の遷移を説明するための模式図である。
【００７２】
具体的には、図３（ａ）は、図２に示すノードＮ９からの距離が第２の所定距離Ｌ２（例えば、２００ｍ）の地点にあるノードＮ１にユーザ（自車両）の現在位置が到達すると表示部１１２を介して報知される地図画像である。表示部１１２には、道路Ｘおよび道路Ｙを含む地図画像が表示されるとともに、ユーザ（自車両）位置マークである矢印２０が表示されている。そして、受信している放送番組を録音中であること示すアイコン３０が表示されている。
【００７３】
また、図３（ｂ）は、図２に示すノードＮ９からの距離が第１の所定距離Ｌ１（例えば、１００ｍ）の地点にあるノードＮ２にユーザ（自車両）の現在位置が到達すると表示部１１２を介して報知される地図画像と経路案内である。表示部１１２には、道路Ｘおよび道路Ｙを含む地図画像が表示されるとともにユーザ（自車両）位置マークである矢印２１が表示され、加えて「分岐点を右折は××方面、直進は△△方面」である旨の経路案内を分岐案内画面３１および音声メッセージ３２で報知されている。また、受信している放送番組を録音中であること示すアイコン３０が表示されている。
【００７４】
さらに、図３（ｃ）は、ユーザ（自車両）が移動を続けて分岐点を右折した後も、図２に示すノードＮ９に関する経路案内が終了してから所定時間Ｔ２（１０秒）後にノードＮ５の地点にユーザ（自車両）の現在位置が到達すると表示部１１２を介して報知される地図画像と経路案内である。表示部１１２には、道路Ｘおよび道路Ｙを含む地図画像が表示されるとともにユーザ（自車両）位置マークである矢印２２が表示される。さらに、いままで録音していた放送番組の再生を促すアイコン３３が表示されている。
【００７５】
ナビゲーション装置１０は、表示部１１２のタッチパネルからアイコン３３がタッチされると録音・再生部１０８によって放送番組データ記憶部１１０に録音された放送番組を再生し、音声出力部１１３から出力する。
【００７６】
次に、本発明にかかるナビゲーション装置の動作について説明する。
【００７７】
図４は、本実施例にかかるナビゲーション装置の動作を示すフローチャートである。
【００７８】
なお、図４に示す動作は制御部１０１に備えられたＲＯＭに記憶されている制御プログラムを実行することで実現される。
【００７９】
図４のフローチャートにおいて、ステップＳ４００において、ユーザにより表示部１１２のタッチパネルから所望の出発地、目的地を設定してナビゲーションの要求があると、経路検索部１０３は地図データ記憶部１０４の地図データを参照して２地点間を最短で結ぶ推奨経路を探索し、探索結果としての地図画像とユーザ（車両）位置マークを表示部１１２の表示画面に重ね合わせて表示する。また、ユーザにより表示部１１２のタッチパネルから所望の放送局の選局も合わせて行う。
【００８０】
ステップＳ４０１では、推奨経路中に分岐点などの案内ポイントがあるか否かを判定し、案内ポイントがある場合にはステップＳ４０２に進み、案内ポイントがない場合には目的地までの推奨経路を表示して処理を終了する。このとき、音声出力部１１３からは、放送受信部１０７で受信された放送局からのラジオ放送番組が所定の音量で出力されている。
【００８１】
ステップＳ４０２では、ユーザ（自車両）の現在位置が最短の案内ポイントから第２の所定距離Ｌ２に到達したか否か判定し、第２の所定距離Ｌ２以内に到達している場合にはステップＳ４０３に進み、一方、ユーザ（自車両）が第２の所定距離Ｌ２以内に到達していない場合にはステップＳ４０２に戻る。
【００８２】
ステップＳ４０３では、録音・再生部１０８による放送受信部１０７で受信している放送局からの放送番組の放送番組データ記憶部１１０への録音を開始する。このとき、音声出力部１１３から出力される放送番組の音量を完全にミュートし、録音中を示すアイコンを表示部１１２に表示する。
【００８３】
ステップＳ４０４では、ユーザ（自車両）の現在位置が最短の案内ポイントから第１の所定距離Ｌ１に到達し、経路案内部１０６によって抽出された当該案内ポイントに対応する経路案内データを用いて経路案内画面を表示部１１２に表示し、音声メッセージを音声出力部１１３から報知する。
【００８４】
ステップＳ４０５では、次の案内ポイントまでの距離Ｌ３が所定距離未満にあるか否か判定し、次の案内ポイントまでの距離Ｌ３が所定距離以上である場合にはステップＳ４０６に進み、一方、次の案内ポイントまでの距離Ｌ３が所定距離未満である場合にはステップＳ４０４に戻り、放送番組の録音を継続し、次の案内ポイントに対応する経路案内データを用いて経路案内画面を表示部１１２に表示し、音声メッセージを音声出力部１１３から報知する。
【００８５】
ステップＳ４０６では、案内ポイントに対応する経路案内データを用いた音声メッセージの報知が終了してから所定時間Ｔ２（１０秒）経過したか否か判定し、所定距離Ｔ２を経過している場合にはステップＳ４０７に進み、一方、所定時間Ｔ２を経過していない場合にはステップＳ４０６に戻る。
【００８６】
ステップＳ４０７では、録音・再生部１０８による放送受信部１０７で受信している放送局からの放送番組の放送番組データ記憶部１１０への録音を終了する。このとき、音声出力部１１３から出力される放送番組の音量を元に戻す。
【００８７】
ステップＳ４０８では、録音・再生部１０８によって録音した放送番組データに対するデータ名として、その放送番組を録音した地点に関わる位置情報を案内データ記憶部１０５に記憶された詳細情報から取得し、ステップＳ４０９では、取得した名称データを録音した放送番組データと関連付けて放送番組データ記憶部１１０に記録する。このとき、いままで録音していた放送番組の再生を促すアイコンを表示部１１２に表示する。
【００８８】
ステップＳ４１０では、表示部１１２のタッチパネルから録音された放送番組の再生を促すアイコンがタッチされて再生が指示されたか否か判定し、再生が指示されない場合にはステップＳ４１１に進み、一方、再生が指示された場合にはステップＳ４１２に進む。
【００８９】
ステップＳ４１１では、再生指示がされずに放送番組データ記憶部１１０に放送番組が録音されてから所定時間（１０分間）経過したか否か判定し、所定時間を経過している場合にはステップＳ４１４に進み、一方、所定時間を経過していない場合にはステップＳ４１０に戻る。
【００９０】
一方、ステップＳ４１２では、録音・再生部１０８により放送番組データ記憶部１１０に録音された放送番組を再生し、ステップＳ４１３では、表示部１１２のタッチパネルから再生された放送番組の消去を促すアイコンがタッチされて消去が指示されたか否か判定し、消去が指示された場合にはステップＳ４１４に進み、一方、消去が指示されない場合には再生された放送番組データ記憶部１１０を残し、ステップＳ４０１に戻る。
【００９１】
ステップＳ４１４では、消去部１０９により放送番組データ記憶部１１０に録音された放送番組を消去し、ステップＳ４０１に戻る。
【００９２】
以上説明したように本発明にかかるナビゲーション装置によれば、音声により経路案内を行う際、音声経路案内を行っているときの放送情報を記録しておくため、ユーザにとって放送情報を見逃したり、聞き逃したりすることを回避することができ、音声経路案内を行っているときの放送情報を的確に把握することが容易になる。
【００９３】
上記実施例では、現在位置検出手段によって検出された現在位置が経路記憶手段に記憶された案内ポイントから進行方向手前の所定距離に到達したとき記録手段による記録を開始させ、音声経路案内が終了してから所定時間経過するまでの間放送情報を記録する場合について説明したが、これに限られることはなく、音声経路案内が開始されるよりも所定時間前から、また、現在位置が案内ポイントから進行方向前方にある所定距離に到達したとき記録手段による記録を終了させるように制御してもよい。
【００９４】
また、上記実施例では、ラジオ放送番組における録音について説明したが、放送番組はこれに限ることなく、テレビ放送番組などの映像信号を含む放送番組の録画について適用することも可能である。
【００９５】
また、上記実施例では、分岐点における経路案内について説明したが、案内ポイントはこれに限ることなく、地図エリアに存在する種々の交差点、道路、地名、施設（ランドマーク）等位置座標を持つ案内ポイントに適用することも可能である。
【図面の簡単な説明】
【００９６】
【図１】本発明の実施例にかかるナビゲーション装置の構成を示すブロック図である。
【図２】本実施例にかかる地図データの構成を説明するための模式図である。
【図３】本実施例にかかる表示部を介して報知される表示内容の遷移を説明するための模式図である。
【図４】本実施例にかかるナビゲーション装置の動作を示すフローチャートである。
【符号の説明】
【００９７】
１０・・・・ナビゲーション装置
１０１・・・・制御部
１０２・・・・現在位置検出部
１０３・・・・経路検索部
１０４・・・・地図データ記憶部
１０５・・・・案内データ記憶部
１０６・・・・経路案内部
１０７・・・・放送受信部
１０８・・・・録音・再生部
１０９・・・・消去部
１１０・・・・放送番組データ記憶部
１１１・・・・操作入力部
１１２・・・・表示部
１１３・・・・音声出力部
【図１】
2008309666.tif 000003
【図２】
2008309666.tif 000004
【図３】
2008309666.tif 000005
【図４】
2008309666.tif 000006